(57)【要約】【課題】従来とは異なった優れた意匠でフラワーディスプレイできるフラワーディスプレイ用具を提供する。【解決手段】フラワーディスプレイ用具１は、花が植えられたポットＰを配置してフラワーディスプレイするために用いられるフラワーディスプレイ用具であって、周壁１２に囲われ開口した板枠を有するフレーム１０と、フレーム１０に固定され、ポットＰを配置可能なフラワー収容部２１を有するトレー２０とを備え、板枠１１は、周壁１２の全ての内壁面が一方側Ｚ１から視認可能なように周壁１２が傾いており、フラワー収容部２１は、有底の凹部であるフラワー収容室２２が形成されており、トレー２０は、口元側（Ｚ１）がフレーム１０の他方側Ｚ２の端部に固定されて、底側（Ｚ２）がフレーム１０の他方側Ｚ２から突出している。【選択図】図３
2020074711.tif 000002
【特許請求の範囲】
【請求項１】
花が植えられたポットを配置してフラワーディスプレイするために用いられるフラワーディスプレイ用具であって、
周壁に囲われ一方側から他方側まで開口した板枠を有するフレームと、
前記フレームに固定され、前記ポットを配置可能なフラワー収容部を有するトレーとを備え、
前記板枠は、前記周壁の全ての内壁面が前記一方側から視認可能なように前記周壁を傾かせて形成されており、
前記フラワー収容部は、有底の凹部であるフラワー収容室が形成されており、前記フラワー収容室に口元側から前記ポットを嵌め込むことで前記ポットを配置可能であり、
前記トレーは、前記口元側が前記フレームの前記他方側の端部に固定されて、底側が前記フレームの前記他方側から突出している、フラワーディスプレイ用具。
【請求項２】
前記トレーは、取り外し可能なように前記フレームに固定される請求項１に記載のフラワーディスプレイ用具。
【請求項３】
前記フレームは、前記板枠に取り付けられたトレー固定具をさらに有し、前記板枠と前記トレー固定具とによって前記トレーの一部を挟み込んで固定するためのトレー固定部が構成されている請求項２に記載のフラワーディスプレイ用具。
【請求項４】
フラワー収容部には、前記フラワー収容室として、それぞれに前記ポットを配置可能な複数のフラワー収容室が形成されている請求項１〜３のいずれか一項に記載のフラワーディスプレイ用具。
【請求項５】
一輪挿し用の花瓶と、
前記板枠の外壁面から前記他方側に張り出し、前記一輪挿し用の花瓶を嵌め込み可能な有底の凹部または貫通穴が形成された花瓶受け部と、をさらに備える請求項２に記載のフラワーディスプレイ用具。
【請求項６】
前記板枠は、木製である請求項１〜５のいずれか一項に記載のフラワーディスプレイ用具。
【請求項７】
前記板枠は、前記周壁の外壁面が開口の中心軸に対して一定の角度で傾いている請求項１〜６のいずれか一項に記載のフラワーディスプレイ用具。
【請求項８】
前記板枠は、前記周壁の外壁面が前記開口の中心軸に対して１３０°〜１４０°の角度をなして傾いている請求項７に記載のフラワーディスプレイ用具。
【請求項９】
前記板枠の外壁面に取り付けられて、前記外壁面に沿って回転可能な脚体をさらに備える請求項１〜８のいずれか一項に記載のフラワーディスプレイ用具。
【発明の詳細な説明】
【技術分野】
【０００１】
本発明は、フラワーディスプレイに用いられるフラワーディスプレイ用具に関する。
【背景技術】
【０００２】
園芸用ポット（「育苗用ポリポット」とも呼ばれる。以下「ポット」と記載する。）で育てられた花苗や切り花（以下「花」と記載する。）を飾るために用いられるフラワーディスプレイ用具が知られている（例えば、特許文献１、特許文献２。）。このようなフラワーディスプレイ用具は、好みに応じて花を配置することで、フラワーディスプレイ（意匠性を高めて花を飾ること）ができる。
【０００３】
特許文献１に記載されるような従来のフラワーディスプレイ用具８０１は、図８に示すように、それぞれにポットＰを保持するための複数のフラワー収容室８２２が形成されたトレー８２０がフレーム８１０に収容されている。従来のフラワーディスプレイ用具８０１においては、トレー８２０は、底側がフレーム８１０の底面に載るようにしてフレーム８１０に収容されている。
フラワーディスプレイ用具８０１を用いたフラワーディスプレイは、鑑賞者の好みに応じてフラワー収容室８２２に保持されるポットＰの配置を変更することで、花の配置を容易に入れ替えることが可能である。
【０００４】
また、特許文献２に記載されるような従来のフラワーディスプレイ用具９０１は、図９に示すように複数のポットＰを保持するトレー９２０がフレーム９１０に収容されている。特許文献２に記載された従来のフラワーディスプレイ用具９０１は、フレーム９１０を斜めに支える脚体９３０を備えている。従来のフラワーディスプレイ用具９０１においては、トレー９２０は、口元側がフレーム体９１０の口元面に載るようにしてフレーム９１０に収容されている。
フラワーディスプレイ用具９０１を用いたフラワーディスプレイは、脚体９３０で支えてフレーム９１０を傾けることでポットＰを斜めに傾けて配置することが可能であるため、花を立てて配置するフラワーディスプレイとは異なった意匠となる。
【先行技術文献】
【特許文献】
【０００５】
【特許文献１】特表２０１６−５１３４５０号公報
【特許文献２】特許第５０１６１４９号公報
【発明の概要】
【発明が解決しようとする課題】
【０００６】
従来とは異なった優れた意匠でフラワーディスプレイできるフラワーディスプレイ用具の要望がある。
【０００７】
このような要望に鑑み、本発明は、従来とは異なった優れた意匠でフラワーディスプレイできるフラワーディスプレイ用具を提供することを課題としている。
【課題を解決するための手段】
【０００８】
［１］本発明に係るフラワーディスプレイ用具は、花が植えられたポットを配置してフラワーディスプレイするために用いられるフラワーディスプレイ用具である。このフラワーディスプレイ用具は、周壁に囲われ一方側から他方側まで開口した板枠を有するフレームを備える。このフラワーディスプレイ用具は、フレームに固定され、ポットを配置可能なフラワー収容部を有するトレーを備える。このフラワーディスプレイ用具においては、板枠は、周壁の全ての内壁面が一方側から視認可能なように周壁を傾かせて形成されている。また、このフラワーディスプレイ用具においては、フラワー収容部は、有底の凹部であるフラワー収容室が形成されており、フラワー収容室に口元側からポットを嵌め込むことでポットを配置可能である。また、このフラワーディスプレイ用具においては、トレーは、口元側がフレームの他方側の端部に固定されて、底側がフレームの他方側から突出している。
【０００９】
本発明に係るフラワーディスプレイ用具によれば、板枠を有するフレームを備え、板枠が周壁の全ての内壁面が一方側から視認可能なように周壁を傾かせて形成されているため、一方側から見た場合に奥側まで視認しやすく、立体感のある優れた意匠でフラワーディスプレイできる。
また、本発明に係るフラワーディスプレイ用具によれば、トレーのフラワー収容部は、有底の凹部であるフラワー収容室が形成されており、フラワー収容室に口元側からポットを嵌め込むことでポットを配置可能であるため、鑑賞者の好み併せてフラワー収容部にポットを配置してフラワーディスプレイできる。
また、本発明に係るフラワーディスプレイ用具によれば、トレーは、口元側がフレームの他方側の端部に固定されるため、花の根本がフレームの他方側（奥側）に配置されることから、フレームと花弁との位置関係が近くなり、フレームと花とが寄せ植えしたかのような一体感と立体感がある優れた意匠でフラワーディスプレイできる。
また、本発明に係るフラワーディスプレイ用具によれば、トレーは、底側がフレームの他方側から突出しているため、ポットの排水孔をフレームから突出させて離すことができることから、フレームを汚しにくく、フレームが綺麗な状態でフラワーディスプレイできる。
【００１０】
その結果、本発明に係るフラワーディスプレイ用具は、従来とは異なった優れた意匠でフラワーディスプレイできるフラワーディスプレイ用具となる。
【００１１】
［２］本発明に係るフラワーディスプレイ用具においては、トレーは、取り外し可能なようにフレームに固定されることが好ましい。
【００１２】
このように構成されたフラワーディスプレイ用具は、トレーをフレームから取り外して、ポットを配置したりポットに水やりをしたりできることから、使い勝手のよいフラワーディスプレイ用具となる。
【００１３】
［３］本発明に係るフラワーディスプレイ用具においては、フレームは、板枠に取り付けられたトレー固定具をさらに有し、板枠とトレー固定具とによってトレーの一部を挟み込んで固定するためのトレー固定部が構成されることが好ましい。
【００１４】
このように構成されたフラワーディスプレイ用具は、トレーがトレー固定部によってフレームにしっかり固定されることから、フラワーディスプレイ中にトレーに配置された花とフレームとの位置関係がずれて意匠が悪化することを防止可能なフラワーディスプレイ用具となる。
【００１５】
［４］本発明に係るフラワーディスプレイ用具においては、フラワー収容部には、フラワー収容室として、それぞれにポットを配置可能な複数のフラワー収容室が形成されていることが好ましい。
【００１６】
このように構成されたフラワーディスプレイ用具は、各フラワー収容室に配置されているポットの入れ替えが容易なることから、鑑賞者の好みに応じて容易に意匠を変更してフラワーディスプレイできるフラワーディスプレイ用具となる。
【００１７】
［５］本発明に係るフラワーディスプレイ用具においては、一輪挿し用の花瓶と、板枠の外壁面から他方側に張り出し、一輪挿し用の花瓶を嵌め込み可能な有底の凹部または貫通穴が形成された花瓶受け部と、をさらに備えていてもよい。
【００１８】
このように構成されたフラワーディスプレイ用具は、トレーを取り外して一輪挿し用の花瓶をセットすることで、切り花をディスプレイすることが可能となることから、フラワーディスプレイの仕方の選択肢が多いフラワーディスプレイ用具となる。
【００１９】
［６］本発明に係るフラワーディスプレイ用具においては、板枠は、木製であることが好ましい。
【００２０】
このように構成されたフラワーディスプレイ用具は、家具調で高級感が出ることから、家具と花とが融合したような、又は花をインテリアに取り入れたような優れた意匠でフラワーディスプレイできるフラワーディスプレイ用具となる。
【００２１】
［７］本発明に係るフラワーディスプレイ用具においては、板枠は、周壁の外壁面が開口の中心軸に対して一定の角度で傾いていることが好ましい。
【００２２】
このように構成されたフラワーディスプレイ用具は、バランスの良い意匠でフラワーディスプレイできるフラワーディスプレイ用具となる。
【００２３】
［８］本発明に係るフラワーディスプレイ用具においては、板枠は、周壁の外壁面が開口の中心軸に対して１３０°〜１４０°の角度をなして傾いていることが好ましい。
【００２４】
このように構成されたフラワーディスプレイ用具は、立てた状態でコーナーに設置した場合に、板枠の外壁面がコーナーに沿いやすくなることから、コーナーにおいてフラワーディスプレイしやすいフラワーディスプレイ用具となる。
【００２５】
［９］本発明に係るフラワーディスプレイ用具においては、板枠の外壁面に取り付けられて、外壁面に沿って回転可能な脚体をさらに備えることが好ましい。
【００２６】
このように構成されたフラワーディスプレイ用具は、傾かせて形成されている板枠の外壁面に沿って脚体を回転させることで、脚体が取り付けられている板枠の延びる方向に対して交差する方向（フレーム後方に向けて斜めに延びる方向）に脚体を向けた脚体突出形態と、脚体が取り付けられている板枠の延びる方向に沿った方向に脚体を向けた脚体収納形態とを切り換えることができる。これにより、このように構成されたフラワーディスプレイ用具は、脚体突出形態においては、フレームを斜めにして配置した場合に、脚体が後方への倒れ防止として機能することから、鑑賞者が鑑賞しやすいように斜めを向いたフラワーディスプレイが可能なフラワーディスプレイ用具となる。また、このように構成されたフラワーディスプレイ用具は、脚体収納形態においては、脚体が邪魔にならず上方向けた平置きをすることもできることから、水やりが簡単で背丈の高い花を飾ることが可能なフラワーディスプレイ用具となる。
【発明の効果】
【００２７】
本発明によれば、フラワーディスプレイの際に、従来とは異なった優れた意匠となるフラワーディスプレイ用具を提供することができる。
【図面の簡単な説明】
【００２８】
【図１】実施形態１に係るフラワーディスプレイ用具１の斜視図である。
【図２】実施形態１に係るフラワーディスプレイ用具１の斜視図である。
【図３】実施形態１に係るフラワーディスプレイ用具１の断面図である。
【図４】実施形態１に係るフラワーディスプレイ用具１の分解図である。
【図５】実施形態１に係るフラワーディスプレイ用具１の設置方法の説明図である。
【図６】実施形態２に係るフラワーディスプレイ用具１０１の断面図である。
【図７】実施形態３に係るフラワーディスプレイ用具２０１の斜視図である。
【図８】従来のフラワーディスプレイ用具８０１の斜視図である。
【図９】従来のフラワーディスプレイ用具９０１の斜視図である。
【発明を実施するための形態】
【００２９】
以下に図面を参照して本発明の一実施形態であるフラワーディスプレイ用具について説明するが、本発明は、これらの実施形態に限定されるものではない。なお、各図面は必ずしも実際の寸法を厳密に反映したものではない。なお、各図において、フラワーディスプレイ用具の一方側（鑑賞者が花を覗き込む手前側で、「口元側」ともいう。）にＺ１の符号を付し、他方側（鑑賞者が花を覗き込む奥側で、「底側」ともいう。）にＺ２の符号を付して矢示しており、以降の説明においては、説明の便宜上、「正面側Ｚ１」及び「背面側Ｚ２」として記載する。
【００３０】
［実施形態１］
（１.実施形態１に係るフラワーディスプレイ用具１の構成）
図１は、実施形態１に係るフラワーディスプレイ用具１の斜視図である。図１（ａ）は、正面側Ｚ１を見えるようにして側方側から見た斜視図である。図１（ｂ）は、背面側Ｚ２を見えるようにして側方側から見た斜視図である。
図２は、実施形態１に係るフラワーディスプレイ用具１の斜視図である。図２は、ほぼ正面側Ｚ１から見た斜視図である。
図３は、実施形態１に係るフラワーディスプレイ用具１の断面図である。図３は、図１（ａ）におけるＺ１−Ｚ２線に沿う方向の断面を模式的に示している。
図４は、実施形態１に係るフラワーディスプレイ用具１の分解図である。
【００３１】
フラワーディスプレイ用具１は、花が植えられたポットＰを配置してフラワーディスプレイするために用いられるフラワーディスプレイ用具であって、花を配置して展示する（花がない植物を配置して展示する場合もある）ための容器である。フラワーディスプレイ用具１は、図１等に示すように、外形枠を構成するフレーム１０と、花が植えられたポットＰを配置するトレー２０と、フレーム１０を支えることが可能な脚体３０とを備えている。
【００３２】
フレーム１０は、周壁となる所定の厚みの板材が枠状に組まれた板枠１１と、板枠１１に取り付けられたトレー固定具１４（図３参照）とを有している。
【００３３】
板枠１１は、台形形状の４枚の板材１２ａ〜１２ｄが正面側Ｚ１から見て全体的に矩形状となるように、枠状に組まれて形成されている。すなわち、板枠１１は、周壁１２に囲われ正面側Ｚ１から背面側Ｚ２まで開口した中空の四角錐台形状に形成されている。また、板枠１１は、周壁１２（４枚の板材１２ａ〜１２ｄ）の全ての内壁面が正面側Ｚ１から視認可能なように、かつ、周壁１２（４枚の板材１２ａ〜１２ｄ）の全ての外壁面が背面側Ｚ２から視認可能なように、周壁１２（４枚の板材１２ａ〜１２ｄ）を傾かせて形成されている。板枠は、構成する周壁１２の傾き量が任意に設定されていてもよく、それぞれの板材によって異なっていてもよいが、図３に示すように、実施形態１に係る板枠１１は、周壁１２の外壁面が開口の中心軸に対して１３５°±５°の角度θ１（周壁１２の内壁面が開口の中心軸に対して４５°±５°の角度θ２）で、全ての板材１２ａ〜１２ｄが一定に傾いている。また、板枠１１は、正面側Ｚ１の端面と内壁面とのなす角度θ３がほぼ１３５°となっている。すなわち、板枠１１の正面側Ｚ１の端面は、平面上に広がるある程度平面的な矩形状の枠となっている。また、板枠１１は、背面側Ｚ２側の端面が外壁面及び内壁面に対し直角（２７０°）をなしている。
板枠は、さまざまな材質から形成することができ、木製、プラスチック製、金属製等、であってもよいが、実施形態１に係る板枠１１は、厚みが２０ｍｍの木の板材１２ａ〜１２ｄから形成されており、木製となっている。
板枠のサイズは、特に限定されるものではないが、一例としては、正面側Ｚ１を向く面の大きさが約２４０ｍｍ×約２４０ｍｍ、厚み（正面側Ｚ１を向く面に垂直方向な高さ）が約３５ｍｍとしてもよい。また、別の一例としては、正面側Ｚ１を向く面の大きさが約２１０ｍｍ×約３００ｍｍ、厚み（正面側Ｚ１を向く面に垂直方向な高さ）が７０ｍｍとしてもよい。
【００３４】
トレー固定具１４は、図３に示すように、板枠１１の内壁面に取り付けられ、板枠１１の内壁面から内側突出する突起である。トレー固定具１４は、板枠１１の開口が最も小さくなる位置よりも僅かに正面側Ｚ１にずれた位置において内側に突出している。これにより、板枠１１とトレー固定具１４とによって後述のトレー２０の一部（口元側）を挟み込んで固定するためのトレー固定部１５が構成される。すなわち、トレー固定部１５は、トレー２０の口元側（Ｚ１）を、板枠１１の内壁面の端側により背面側Ｚ２から押さえ、トレー固定具１４により正面側Ｚ１から押さえることにで、フレーム１０に対しトレー２０を固定することが可能である。なお、トレー固定具１４は、トレー２０をフレーム１０に固定する際にトレー２０が撓んで乗り越えられる高さで突出している。
【００３５】
トレー２０は、プラスチック製で、図４に示すように、隙間を形成するように複数の骨部分が組み合わされた骨組み構造によって、軽量かつ撓み可能に形成された一体トレーである。トレー２０は、有底の凹部であるフラワー収容室２２が形成されており、フラワー収容室２２に口元側（Ｚ１）からポットＰを嵌め込むことでポットＰを配置可能なフラワー収容部２１を有する。トレー２０は、フレーム１０の正面側Ｚ１の端部に正面側Ｚ１（口元側）が固定される（図３参照）。トレー２０は、正面側Ｚ１（口元側）の外形がフレーム１０の背面側Ｚ２の開口よりも大きく形成されており、フラワー収容部２１の正面側Ｚ１がトレー固定部１５によって着脱可能に固定されている。トレー２０がフレーム１０に固定された状態において、フラワー収容部２１は、背面側Ｚ２（底側）がフレーム１０の背面側Ｚ２から突出している。トレー２０は、フレーム１０の正面側Ｚ１からフレーム１０内に嵌め込まれ、正面側Ｚ１の外形を一旦撓ませられてトレー固定具１４を乗り越えることで、トレー固定部１５に固定される。トレー２０は、正面側Ｚ１の外形を一旦撓ませればトレー固定具１４を逆に乗り越えられることから、取り外し可能なようにフレーム１０に固定されている。
【００３６】
フラワー収容部は、１又は複数のフラワー収容室により構成される。フラワー収容部は、フラワー収容室が１つだけ形成されるものでもよいが、一例として、実施形態１のフラワー収容部２１は、それぞれの内側にポットＰを配置可能な複数のフラワー収容室２２が形成されている。具体的には、実施形態１のフラワー収容部２１には、同等サイズの複数のフラワー収容室２２が縦２×横２に並んで形成されている
【００３７】
フラワー収容室２２は、正面側Ｚ１にポットＰのサイズで開口する枠部２２ａ、背面側Ｚ２がポットＰの通過できない底部２２ｂとなっており、正面側Ｚ１からポットＰを着脱可能に構成されている。枠部２２ａと底部２２ｂとは、互いの４隅において、細長い骨部分によって連結している。互いに隣接するフラワー収容室２２同士は、枠部２２ａにおいて結合している。
【００３８】
脚体３０は、細長い角棒であり、一端部がフレーム１０の板枠１１の外壁面に回転可能に取り付けられている。脚体は、さまざまな材質から形成することができ、木製、プラスチック製、金属製等、であってもよいが、実施形態１に係る脚体３０は、１２ｍｍ角の木材で形成されており、木製となっている。脚体３０は、板枠１１の外壁面に沿って回転可能になっている。
【００３９】
（２.実施形態１に係るフラワーディスプレイ用具１の使用方法）
図５は、実施形態１に係るフラワーディスプレイ用具１の設置方法の説明図である。図５（ａ）は、フラワーディスプレイ用具１を斜めにして床Ｇに設置した図である。図５（ｂ）は、フラワーディスプレイ用具１を倒して床Ｇに設置した図である。図５（ｃ）は、フラワーディスプレイ用具１を壁Ｗのコーナーに設置した図である。なお、図５においては、ポットＰとフラワー収容室２２の底面との間に大きな空間があるよう描画されているが、フラワー収容室２２をわかりやすく矢示するための便宜上の描画であり、実際は、フラワー収容室２２の底面がポットＰの底面をしっかり受けていることが多い。
【００４０】
実施形態１に係るフラワーディスプレイ用具１の使用方法は、まず、花が植えられたポットＰを、鑑賞者の好みに応じてトレー２０のフラワー収容室２２に配置し、次に、ポットＰが配置されたフラワーディスプレイ用具１を、鑑賞者の好み応じた向きに設置する。
【００４１】
ポットＰをフラワー収容室２２に配置する際には、トレー２０をフレーム１０から分離させた状態でポットＰをフラワー収容室２２に配置してからトレー２０をフレーム１０に取り付けてもよいし、フレーム１０に取り付けたトレー２０のフラワー収容室２２に直接ポットＰを配置しても良い。
【００４２】
フラワーディスプレイ用具１を設置する際には、図５（ａ）に示すように、脚体３０を回転させて、脚体３０が取り付けられている板枠１１の延びる方向に対して交差する方向（フレーム１０後方に向けて斜めに延びる方向）に脚体を向けて、フレーム１０を斜めに傾けて床Ｇ設置してもよい。また、図５（ｂ）に示すように、脚体３０が取り付けられている板枠１１の延びる方向に沿った方向に脚体３０を向けてトレー２０の底面を設置面で受けるようにして床Ｇに設置（平置き）してもよい。また、図５（ｃ）に示すように、フレーム１０の外壁面が壁Ｗのコーナーに沿うようにして、立てて設置してもよい。なお、脚体３０を回転させることで突出させてフレーム１０を斜めに傾けて設置する場合において、図５（ａ）では脚体３０が取り付けられている板枠１１ａを上方にした状態で設置するよう描かれているが、脚体３０が取り付けられている板枠１１ａを側方や下方にした状態で設置することも可能である。したがって、フレームをそのまま回転させて設置することにより、簡単にフラワーディスプレイの雰囲気を変更することが可能である。
【００４３】
また、フラワーディスプレイ用具１に一旦ポットＰを配置した後に、花の配置を変更したい場合には、ポットＰをフラワー収容室２２から取り出し、入れ替えればよい。または、ポットＰが嵌め込まれたままのトレー２０ごと取り外し、回転させてからフレーム１０に再び取り付けることで、花の配置を変更してもよい。なお、水やりを行う際には、トレー２０をフレーム１０から分離させて行うのがフレーム１０を汚さない点で好ましいが、トレー２０がフレーム１０から突出しており、通常底面に形成されているポットＰの排水孔がフレーム１０から離れているため、トレー２０がフレーム１０に取り付けられた状態で行ってもよい。
【００４４】
（３.実施形態１に係る効果）
実施形態１係るフラワーディスプレイ用具１によれば、板枠１１を有するフレーム１０を備え、板枠１１が周壁１２の全ての内壁面が正面側Ｚ１から視認可能なように周壁１２を傾かせて形成されているため、正面側Ｚ１から見た場合に奥側（Ｚ２）まで視認しやすく、立体感のある優れた意匠でフラワーディスプレイできる。また、立体的な花の絵画のようなイメージの優れた意匠でフラワーディスプレイすることもできる。
また、フラワーディスプレイ用具１によれば、トレー２０のフラワー収容部２１は、有底の凹部であるフラワー収容室２２が形成されており、フラワー収容室２２に口元側（Ｚ１）からポットＰを嵌め込むことでポットＰを配置可能であるため、鑑賞者の好み併せてフラワー収容部２１にポットＰを配置してフラワーディスプレイできる。
また、フラワーディスプレイ用具１によれば、トレー２０は、口元側（Ｚ１）がフレーム１０の背面側Ｚ２の端部に固定されるため、花の根本が奥側（Ｚ２）に配置されることから、フレーム１０と花弁との位置関係が近くなり、フレーム１０と花とが寄せ植えしたかのような一体感と立体感がある優れた意匠でフラワーディスプレイできる。
また、フラワーディスプレイ用具１によれば、トレー２０は、底側（Ｚ２）がフレームの背面側Ｚ２から突出しているため、ポットＰの排水孔をフレーム１０から突出させて離すことができることから、フレーム１０を汚しにくく、フレーム１０が綺麗な状態でフラワーディスプレイできる。
【００４５】
その結果、実施形態１に係るフラワーディスプレイ用具１は、従来とは異なった優れた意匠でフラワーディスプレイできるフラワーディスプレイ用具となる。
【００４６】
実施形態１に係るフラワーディスプレイ用具１においては、トレー２０は、取り外し可能なようにフレーム１０に固定されるため、トレー２０をフレーム１０から取り外して、ポットＰを配置したりポットＰに水やりをしたりできることから、使い勝手のよいフラワーディスプレイ用具となる。
【００４７】
実施形態１に係るフラワーディスプレイ用具１においては、フレーム１０は、板枠１１に取り付けられたトレー固定具１４をさらに有し、板枠１１とトレー固定具１４とによってトレー２０の一部を挟み込んで固定するためのトレー固定部１５が構成されるため、トレー２０がトレー固定部１５によってフレーム１０にしっかり固定されることから、フラワーディスプレイ中にトレー２０に配置された花とフレーム１０との位置関係がずれて意匠が悪化することを防止可能なフラワーディスプレイ用具となる。
【００４８】
実施形態１に係るフラワーディスプレイ用具１においては、フラワー収容部２１には、フラワー収容室２２として、それぞれにポットＰを配置可能な複数のフラワー収容室が形成されているため、各フラワー収容室２２に配置されているポットＰの入れ替えが容易なることから、鑑賞者の好みに応じて容易に意匠を変更してフラワーディスプレイできるフラワーディスプレイ用具となる。
【００４９】
実施形態１に係るフラワーディスプレイ用具１においては、板枠１１は木製であるため、高級感のある優れた意匠でフラワーディスプレイできるフラワーディスプレイ用具となる。
【００５０】
実施形態１に係るフラワーディスプレイ用具１においては、板枠１１は、周壁１２の外壁面が開口の中心軸に対して一定の角度θ１で傾いているため、バランスの良い意匠でフラワーディスプレイできるフラワーディスプレイ用具となる。
【００５１】
実施形態１に係るフラワーディスプレイ用具１においては、板枠１１は、周壁１２の外壁面が開口の中心軸に対して１３０°〜１４０°の角度θ１をなして傾いているため、立てた状態でコーナーに設置した場合に、板枠１１の外壁面がコーナーに沿いやすくなることから、コーナーにおいてフラワーディスプレイしやすいフラワーディスプレイ用具となる。
【００５２】
実施形態１に係るフラワーディスプレイ用具１においては、板枠１１の外壁面に取り付けられて、外壁面に沿って回転可能な脚体３０を備えているため、傾かせて形成されている板枠１１の外壁面に沿って脚体３０を回転させることで、脚体３０が取り付けられている板枠１１の延びる方向に対して交差する方向（フレーム１０後方に向けて斜めに延びる方向）に脚体３０を向けた脚体突出形態と、脚体３０が取り付けられている板枠１１の延びる方向に沿った方向に脚体３０を向けた脚体収納形態とを切り換えることができる。これにより、フラワーディスプレイ用具１は、脚体突出形態においては、フレーム１０を斜めにして配置した場合に、脚体３０が後方への倒れ防止として機能することから、鑑賞者が鑑賞しやすいように斜めを向いたフラワーディスプレイが可能なフラワーディスプレイ用具となる。また、フラワーディスプレイ用具１は、脚体収納形態においては、脚体３０が邪魔にならず上方向けた平置きをすることもできることから、水やりが簡単で背丈の高い花を飾ることが可能なフラワーディスプレイ用具となる。
【００５３】
［実施形態２］
図６は、実施形態２に係るフラワーディスプレイ用具１０１の断面図である。
【００５４】
実施形態２に係るフラワーディスプレイ用具１０１は、基本的には実施形態１に係るフラワーディスプレイ用具１と同様の構成を有するが、トレー固定部の構成が実施形態１に係るフラワーディスプレイ用具１の場合とは異なる。すなわち、図６に示すように、実施形態２に係るフラワーディスプレイ用具１０１においては、トレー固定部１１５は、トレー固定具１１４が板枠１１の背面側Ｚ２から見える面に取り付けられている。
【００５５】
トレー固定具１１４は、図６に示すように、板枠１１の背面側Ｚ２の端面に取り付けられ、背面側Ｚ２の端面から内側に突出する突起である。トレー固定具１１４は、板枠１１の開口が最も小さくなる位置よりも僅かに背面側Ｚ２にずれた位置において内側に突出している。これにより、板枠１１とトレー固定具１１４とによってトレー２０の一部（口元側）を挟み込んで固定するためのトレー固定部１１５が構成される。すなわち、トレー固定部１１５は、トレー２０の口元側（Ｚ１）を、板枠１１の背面側Ｚ２の端面により正面側Ｚ１から押さえ、トレー固定具１１４により背面側Ｚ２から押さえることで、フレーム１１０に対しトレー２０を固定することが可能である。なお、トレー固定具１１４は、トレー２０をフレーム１１０に固定する際にトレー２０が撓んで乗り越えられる高さで突出している。
【００５６】
このように、実施形態２に係るフラワーディスプレイ用具１０１においては、トレー固定部１１５の構成が実施形態１に係るフラワーディスプレイ用具１と異なるが、基本的な構成が実施形態１に係るフラワーディスプレイ用具１と同様であるため、フラワーディスプレイの際に、従来とは異なった優れた意匠を提供するフラワーディスプレイ用具となる。
【００５７】
また、実施形態２係るフラワーディスプレイ用具１０１においては、トレー固定部１１５は、トレー固定具１１４が板枠１１の背面側Ｚ２から見える面に取り付けられていることから、フレーム１０の開口が最も狭い位置よりも背面側Ｚ２にトレー２０を固定する。このため、フラワーディスプレイ用具１０１は、より奥行き感のある意匠でフラワーディスプレイできるフラワーディスプレイ用具となる。
【００５８】
［実施形態３］
図７は、実施形態３に係るフラワーディスプレイ用具２０１の斜視図である。図７（ａ）は、正面側Ｚ１から見た斜視図である。図７（ｂ）は、背面側Ｚ２から見た斜視図である。図７においては、トレー（不図示）をフレーム２１０から取り外した状態のフラワーディスプレイ用具２０１を示している。
【００５９】
実施形態３に係るフラワーディスプレイ用具２０１は、基本的には実施形態１に係るフラワーディスプレイ用具１と同様の構成を有するが、一輪挿し用の花瓶と花瓶受け部と、をさらに備えている点において、実施形態１に係るフラワーディスプレイ用具１の場合とは異なる。すなわち、図７に示すように、実施形態３に係るフラワーディスプレイ用具２０１においては、一輪挿し用の花瓶２４０と、一輪挿し用の花瓶２４０を固定する花瓶受け部２５０と、をさらに備えている。なお、図７に示す実施形態３のフレーム２１０は、図１等で示した実施形態１のフレーム１０よりもより細長い形状となっているが、基本的にはフレーム１０と同様の構成である。このため、フレーム２１０については、説明を省略する。
【００６０】
一輪挿し用の花瓶２４０は、有底の細長い円筒状の瓶で、一輪の花を配置するのに適した形状をしている。一輪挿し用の花瓶は、ガラス製、プラスチック製、透明、半透明等、さまざまな花瓶であってもよいが、実施形態３の一輪挿し用の花瓶２４０は、外径が約２４ｍｍで高さが約８０ｍｍの透明なガラス瓶である。
【００６１】
花瓶受け部２５０は、直角二等辺三角形状の板材で、内側に一輪挿し用の花瓶２４０の外径サイズに対応した内径サイズで一輪挿し用の花瓶２４０を嵌め込み可能、且つ取り外し可能な有底の凹部又は貫通穴２５１が形成されている。花瓶受け部２５０は、直角側が背面側Ｚ２を向くように斜辺側が板枠２１１の一の外壁面に取り付けられており、板枠２１１の外壁面から背面側Ｚ２に張り出している。花瓶受け部２５０は、外周に弾性体が巻かれた一輪挿し用の花瓶２４０を貫通穴２５１に差し込むことで、一輪挿し用の花瓶２４０を保持可能となっている。
【００６２】
このように、実施形態３に係るフラワーディスプレイ用具２０１においては、一輪挿し用の花瓶２４０と花瓶受け部２５０とをさらに備えている点において、実施形態１に係るフラワーディスプレイ用具１と異なるが、基本的な構成が実施形態１に係るフラワーディスプレイ用具１と同様であるため、フラワーディスプレイの際に、従来とは異なった優れた意匠を提供するフラワーディスプレイ用具となる。
【００６３】
また、実施形態３に係るフラワーディスプレイ用具２０１においては、トレーを取り外して一輪挿し用の花瓶２４０をセットすることで、切り花をディスプレイすることが可能となることから、フラワーディスプレイの仕方の選択肢が多いフラワーディスプレイ用具となる。
【００６４】
また、実施形態３に係るフラワーディスプレイ用具２０１においては、花瓶受け部２５０の貫通穴２５１は、花瓶２４０を取り外し可能に形成されているため、花瓶を取り外して水洗いすることが可能であることから、清潔に管理しやすいフラワーディスプレイ用具となる。
【００６５】
また、実施形態３に係るフラワーディスプレイ用具２０１においては、花瓶受け部２５０は、直角二等辺三角形状で、直角側が背面側Ｚ２を向くようにして板枠２１１の外壁面から背面側Ｚ２に張り出しているため、花瓶受け部２５０を床に接するようすることで自立できることから平置きに対応しやすいフラワーディスプレイ用具となる。また、フレーム２１０の外壁面及び花瓶受け部２５０を壁のコーナーにフィットさせることができることから、フレーム２１０に壁掛け用フック（不図示）を取り付けることにより、壁掛けに対応しやすいフラワーディスプレイ用具となる。
【００６６】
以上、本発明を上記の実施形態に基づき説明したが、本発明は上記の実施形態に限定されるものではない。その趣旨を逸脱しない範囲において種々の態様において変更することが可能であり、例えば、次のような変形も可能である。
【００６７】
（１）上記実施形態において記載した構成要素の数、形状、位置、大きさ、材質等は例示であり、本発明の効果を損なわない範囲において変更することが可能である。
【００６８】
（２）上記した実施形態においては、フレーム１０の板枠１１は、正面側Ｚ１から見て矩形状であると説明したが、本発明はこれに限定されるものではない。例えば、フレームの板枠は、正面側Ｚ１から見て楕円形状、三角形状、六角形状、その他多角形状、又はランダム形状であってもよい。
【００６９】
（３）上記した実施形態においては、フレーム１０の板枠１１は、板枠１１を構成する周壁１２の傾き量が一定であると説明したが、本発明はこれに限定されるものではない。例えば、フレームの板枠は、板枠を構成する板材ごとに傾き量を変えてもよい。
【００７０】
（４）上記した実施形態においては、フレーム１０は、特に装飾されているものではなかったが、フレームは鑑賞者の好みに応じて装飾することができる。例えば、板枠の一方側の端面を曲面にしたり縁取りを施したりしてもよい。また、例えば、板枠の内壁面や外壁面に彫刻をしてもよい。また、板枠の内壁面に発光素子を配置し、電飾してもよい。
【００７１】
（５）上記した実施形態においては、フラワー収容部２１には同等サイズの複数のフラワー収容室２２が縦２×横２に並んで形成されているものとして説明したが、本発明はこれに限定されるものではない。例えば、フラワー収容部に異なるサイズのフラワー収容室が形成されていてもよいし、縦横ランダムに形成されていてもよい。
【００７２】
（６）上記した実施形態１及び２においては、フラワーディスプレイ用具は、脚体を備えているが、脚体の支えが無くても斜めにして床に設置できるのであれば、特に脚体を備えていなくてもよい。例えば、フレームを長方形状に形成し、長尺な辺を床に接するようにして斜めに設置した際に、縦横比率によっては、脚体なしで安定して自立できるため、脚体を備えていなくてもよい場合がある。
【００７３】
（７）上記した実施形態３においては、花瓶受け部２５０は、直角二等辺三角形状であると説明したが、本発明はこれに限定されるものではない。例えば、半円形状であってもよい。
【００７４】
（８）上記した実施形態３においては、フラワーディスプレイ用具２０１は、１の花瓶２４０を花瓶受け部２５０の貫通穴２５１で保持する構成であったが、本発明はこれに限定されるものではない。例えば、花瓶受け部には複数の凹部又は貫通穴が形成され、複数の花瓶を保持する構成であってもよい。その際、異なる径の凹部又は貫通穴を形成することで、異なるサイズの花瓶を保持できるような構成であってもよい。
【符号の説明】
【００７５】
１，１０１，２０１…フラワーディスプレイ用具
１０…フレーム
１１…板枠
１２…周壁
２０…トレー
２１…フラワー収容部
２２…フラワー収容室
３０…脚体
Ｐ…ポット
Ｚ１…一方側（口元側）
Ｚ２…他方側（奥側）
【図１】
2020074711.tif 000003
【図２】
2020074711.tif 000004
【図３】
2020074711.tif 000005
【図４】
2020074711.tif 000006
【図５】
2020074711.tif 000007
【図６】
2020074711.tif 000008
【図７】
2020074711.tif 000009
【図８】
2020074711.tif 000010
【図９】
2020074711.tif 000011